(57)【要約】      （修正有）【課題】火災等の熱による障子の下框の中央部における垂れ下がりを抑制し、防火性能を向上させる。【解決手段】枠体に開閉自在に支持した障子を備えるすべり出し窓１において、障子の下框３１ｂの長手方向中央部の下面（又は、障子の下框３１ｂの長手方向中央部に対向する位置の下枠５ｂの上面）に支持金具３３を設け、障子が、火災等の熱で熱変形し、中央部より垂れ下がってきた場合に、支持金具３３と下枠５ｂの上面とを接触させ、障子を支持金具３３により支持する。【選択図】図２
2017008583.tif 000002
【特許請求の範囲】
【請求項１】
上枠、下枠及び両縦枠を枠組みして形成した開口枠と、前記開口枠に開閉自在に支持した障子とを備える建具であって、
前記障子の下框の長手方向中央部の下面、又は障子の下框の長手方向中央部に対向する位置の下枠の上面に支持具を備え、
前記支持具が、前記障子が熱変形したときに、前記障子の下框の前記中央部で前記障子を支持する建具。
【請求項２】
請求項１に記載された建具において、
前記建具はすべり出し窓であって、
前記すべり出し窓の上框の中央部に設けた引寄せ金具と、
前記すべり出し窓の上枠に前記引寄せ金具と対向して設けられ、開放したすべり出し窓を閉鎖するとき、前記引寄せ金具に当接して前記すべり出し窓を閉鎖位置に引き寄せるガイドローラと、
を備えた建具。
【請求項３】
請求項２に記載された建具において、
前記引寄せ金具は、前記すべり出し窓の室外側から室内側に向かって上方に傾斜した傾斜面を有する建具。
【発明の詳細な説明】
【技術分野】
【０００１】
本発明は、建具に関し、とくに防火性能を向上させた建具に関する。
【背景技術】
【０００２】
建具では、一般的に、障子の取り付けや取り外し又は開閉を容易にするために、建具枠の上内側面と障子の上外側面との間、建具枠の下内側面と障子の下外側面との間に隙間を設けている。
そのため、火災等でその框の一部が溶融、軟化すると伸びる。縦框が伸びると建具枠の下内側面と障子の下外側面との間隙間分だけ障子が自重で垂れ下がる。また、これに伴い、障子の上外側面と建具枠の上内側面との間の隙間が拡がり、火炎や熱風が通る貫通路（又は貫通孔）が生成され、防火上好ましくない。
この問題に対する解決策として、例えば、特許文献１には、火災等の熱により障子の反りや下がりを防止できるようにしたすべり出し窓が記載されている。
そこで、まず、特許文献１に記載されたすべり出し窓について説明する。
【０００３】
図６は、特許文献１に記載されたすべり出し窓の障子の下部と下枠とを示す縦断面図である。
特許文献１に記載されたすべり出し窓７は、枠８に対して障子９をすべり出し自在に支持し、障子縦框７１の見込み面７１ａに設けた係止部材７５と、障子縦框７１に対向する位置で下枠６１の上面に設けた受け７７とを備えている。係止部材７５は、対向する縦枠側に突出した見付け壁７５ｂを有し、受け７７は、上方に突出した見込み壁７７ｂを有し、係止部材７５の見付け壁７５ｂは受け７７の見込み壁７７ｂよりも室内側で且つ上方に位置している。
火災発生時に障子縦框７１が熱により伸びると、係止部材７５の見付け壁７５ｂが、受け７７の見込み壁７７ｂの室内側に係止するか又は受け７７の見込み壁７７ｂの上端に当接支持（載置）される。
つまり、火災発生時に、係止部材７５を受け７７上に当接するか、又はその室内側に当接することで障子の反りや下がりを防止し、火災の噴出を防止している。
【０００４】
特許文献１に記載されたすべり出し窓は、火災等の熱による障子の下がりを防止することができる。しかし、その作用は、係止部材が設けられた下枠に対向する障子縦框近傍に限定されており、特に、窓形状が横に長いすべり出し窓の場合は、障子の下框が長くなるにつれて垂れ下がり量が増加するが、その下框の中央部における垂れ下がりについては全く考慮されていない。したがって、下框の長さが長くなるにつれて問題になる、下框の中央部の垂れ下がりを防止することはできない。
障子の中央部において垂れ下がりが生じると、結局、障子の反りにより障子と枠との間を貫通する隙間（以下、単に貫通孔という）が発生し、この貫通孔から熱風の流入や流出、火災の伝搬が発生することとなる。
【先行技術文献】
【特許文献】
【０００５】
【特許文献１】特開２０１４−９４９４号公報
【発明の概要】
【発明が解決しようとする課題】
【０００６】
本発明は、前記従来の問題に鑑みてなされたものであって、その目的は、火災等の熱による障子の下框の中央部における垂れ下がりを抑制し、火災発生時における貫通孔の形成を防止して防火性能を向上させることである。
【課題を解決するための手段】
【０００７】
本発明は、上枠、下枠及び両縦枠を枠組みして形成した開口枠と、前記開口枠に開閉自在に支持した障子とを備える建具であって、前記障子の下框の長手方向中央部の下面、又は障子の下框の長手方向中央部に対向する位置の下枠の上面に支持具を備え、前記支持具が、前記障子が熱変形したときに、前記障子の下框の前記中央部で前記障子を支持する建具である。
【発明の効果】
【０００８】
本発明によれば、火災等の熱による障子の下框の中央部における垂れ下がりを抑制し、火災発生時における貫通孔の形成を防止して防火性能を向上させることができる。
【図面の簡単な説明】
【０００９】
【図１】本発明の実施形態に係る建具の正面図である。
【図２】本発明の実施形態に係る建具の縦断面図である。
【図３】本発明の実施形態に係る建具の横断面図である。
【図４】本発明の実施形態に係る建具であって、障子の下部と下枠とを示す縦断面図である。
【図５】本発明の実施形態に係る建具であって、障子の上部と上枠とを示す縦断面図である。
【図６】従来の建具であって、障子の下部と下枠とを示す縦断面図である。
【発明を実施するための形態】
【００１０】
以下、本発明の建具１の実施形態としてすべり出し窓を例に採り、図面を参照して説明する。
図１は、本発明の実施形態に係る建具１（即ち、すべり出し窓１）の正面図である。
すべり出し窓１は、図１に示すように、障子３と、枠体５とを備え、障子３は、枠体５に対して図示しないアームによりすべり出し可能（開閉自在）に支持される。
【００１１】
枠体５は、上枠５ａ、下枠５ｂ及び左右の縦枠５ｃ、５ｄを枠組みして方形状に形成された開口枠である。
障子３は、上框３１ａと下框３１ｂ（総称して横框ともいう）、及び左右の縦框３１ｃ、３１ｄをガラスパネル３２の四周に框組することで構成される。
なお、下框３１ｂには、その長手方向中央部の下面において、火災等の熱で障子３が垂れ下がったとき、下框３１ｂを支持するための支持金具３３が設けられている。また、上框３１ａの中央部には引寄せ金具３４を設け、さらに上枠５ａには引寄せ金具３４と対向してガイドローラ５１が取り付けられている。
【００１２】
図２は、本発明の実施形態に係るすべり出し窓１の縦断面図であり、また図３は、本発明の実施形態に係るすべり出し窓１の横断面図である。
上框３１ａのガラスパネル収容凹部側には、図２に示すように、断面が略コの字形状の鋼材製の補強材３５が設けられている。また、上框３１ａの上面には、断面がＬ字型の補強金具３６が設けられている。
上框３１ａを補強材３５、補強金具３６により補強することで、上框３１ａが例えば火災等において弓なりに変形することを防止している。
なお、すべり出し窓１に関して、炎や熱風を遮断してその防火性能を高めるために、補強材３５の上述の凹部の底面室内側には加熱発泡材３７、また補強金具３６の室外面の室内側には加熱発泡材３８を設けている。
【００１３】
上框３１ａの上面には、その見付け方向、中央付近において、図２に示すように、引寄せ金具３４が、室内側に向かって上向きの傾斜面を形成するように取り付けられている。
なお、引寄せ金具３４は、耐火性を有する材料、例えば、鋼製金具等により形成される。
引寄せ金具３４は、障子３を開き位置から閉じ位置（閉鎖位置）に向けて移動したときに、上枠５ａに取り付けられる耐火性を有する鋼材製のガイドローラ５１に接して、障子３の吊元側である上框３１ａを室内側に引き寄せるガイド手段として機能する例えば傾斜した板体である。
【００１４】
下框３１ｂのホロー部（中空部）内には、図２に示すように、断面が略コの字形状の補強金具３９が、ホロー部を構成する室内側壁面以外の壁面に当接配置されており、これにより、ガラスパネル３２の重量による下框３１ｂの潰れ、変形等を防止する。
また、下框３１ｂに取り付けられるカムラッチハンドル４０の裏板４１と断面が略コの字形状の鋼材製の補強材４２が、下框３１ｂの上述の凹部の上側壁面を介して、ビス４３等の固定部材で共締めされており、補強材４２の枠側との拘束を高めている。
【００１５】
下框３１ｂの下枠５ｂの長手方向中央部に対向する部分には、その下面に、図２に示すように、障子３が、火災等の熱で熱変形し、中央部より垂れ下がってきたとき、下枠５ｂにより下框３１ｂを支持するための支持金具３３が設けられている。
なお、支持金具３３は、本発明の支持具に対応し、引寄せ金具３４と同様に、耐火性を有する材料、例えば、鋼製金具等により形成され、その外形などは、下框３１ｂを支持可能であれば任意である。また、下框３１ｂの上述の凹部の底面室外側には加熱発泡材４４が、また下框３１ｂの室外面延出部の内面側には加熱発泡材４５が貼り付けられている。
【００１６】
図３に示すように、左右の縦框３１ｃ、３１ｄのホロー部枠体側底面には加熱発泡材４６、４７が、また縦框３１ｃ、３１ｄの室外面延出部の室内側には加熱発泡材４８、４９が固着されている。
さらに、左右の縦枠５ｃ、５ｄの下部において、火災時に発生するコーナー部の貫通孔を塞ぎ、炎や熱風の進入や排出を防ぐための加熱発泡材５２、５３が貼り付けられている。
【００１７】
図４は、本発明の実施形態に係るすべり出し窓１の障子３の下部と下枠５ｂとを示す縦断面図であり、図４Ａは、通常時、即ち、火災等が発生しておらず、障子３の中央部が垂れ下がっていない状態を、また図４Ｂは、火災等が発生し、その熱により、障子３の中央部が垂れ下がった状態を示している。
図４Ａに示すように、通常時には、下框３１ｂの下面に設けられた支持金具３３と下枠５ｂとは、所定の間隔を有するように形成されている。
そのため、支持金具３３は、通常時における、障子３の開閉動作（図４において、例えば、障子３のすべり出し動作等）において障害となることはない。
【００１８】
火災等が発生し、障子３が熱変形し、中央部が垂れ下がると、図４Ｂに示すように、下框３１ｂの下面に設けられた支持金具３３が下枠５ｂの上面に当接し、障子３は支持金具３３により支持され、障子３のそれ以上の垂れ下がりが抑制される。
また、このように垂れ下がりを抑制することにより、框部材（框体３１）の変形を軽減し、上框３１ａからのガラスパネル３２の脱落を防止することができる。さらに、支持金具３３を設けることで、障子３の開き量も抑制されることから、貫通孔を塞ぐために貼り付ける加熱発泡材を削減することができる。
【００１９】
なお、図４に示す、すべり出し窓１では、支持金具３３を下框３１ｂの下面に設ける構造としているが、障子３が熱変形し、中央部が垂れ下がった場合に、障子３を支持し、その垂れ下がりを抑制することが可能であれば、支持金具３３を、下框３１ｂの長手方向中央部に対向する位置の下枠５ｂの上面に設ける構造としてもよい。
【００２０】
図５は、本発明の実施形態に係るすべり出し窓１の障子３の上部と上枠５ａとを示す縦断面図である。
なお、図５は、図４Ｂに示した下框３１ｂに設けられた支持金具３３により障子３を支持した状態を示している。
図４Ｂに示すように、支持金具３３により障子３の垂れ下がりを抑制することで、引寄せ金具３４とガイドローラ５１が外れることを防止し、傾斜面を備えた引寄せ金具３４とガイドローラ５１を当接させ（干渉させ）、かつ障子３を室内側の上枠５ａ側に拘束することで、框体３１の倒れ、及び障子３の中央部の垂れ下がり、開き等を抑制している。
また、このような構造にすることで、貫通孔の発生も防止することができる。
【００２１】
以上、説明したように、本発明の実施形態に係るすべり出し窓によれば、障子の下框の長手方向中央部の下面、又は障子の下枠の長手方向中央部に対向する位置の下枠の上面に、下枠により下框を支持するための支持金具を設けることで、火災等の熱による障子の中央部における垂れ下がりを抑制し、防火性能を向上させることができる。
また、本発明の実施形態に係るすべり出し窓によれば、火災等の熱による障子の垂れ下がりを支持金具により抑制して引寄せ金具とガイドローラを当接させ、引寄せ金具の傾斜面に沿って障子を窓枠側に引寄せ、拘束することで、障子の開きを抑制し、さらに貫通孔の発生を防止することができる。
なお、以上の実施形態では、すべり出し窓を例に採って説明したが、本発明はこれに限定されず、火災時において、横框の長手方向中央部が垂れ下がることが予測される建具、例えば、突き出し窓、外倒し窓、内倒し窓、開き窓にも適用可能である。
【符号の説明】
【００２２】
１…建具、３…障子、５…枠体、３１…框体、３１ａ…上框、３１ｂ…下框、３２…ガラスパネル、３３…支持金具、３４…引寄せ金具、３５…補強材、３６…補強金具、３７…加熱発泡材、３８…加熱発泡材、３９…補強金具、４０…カムラッチハンドル、４１…カムラッチハンドルの裏板、４２…補強材、４３…ビス、４４…加熱発泡材、４５…加熱発泡材、５１…ガイドローラ。
【図１】
2017008583.tif 000003
【図２】
2017008583.tif 000004
【図３】
2017008583.tif 000005
【図４】
2017008583.tif 000006
【図５】
2017008583.tif 000007
【図６】
2017008583.tif 000008